(57)【要約】【課題】本発明は撮像装置のフォーカスモードに応じて、撮像に好適な撮像装置のフォーカスアシスト機能の設定を自動で変更する画像表示装置及びその制御方法を提供する。【解決手段】本発明の表示装置は、撮像装置から出力される画像データに第１の処理を施す第１の処理手段と、前記画像データに第２の処理を施す第２の処理手段と、前記第１の処理または前記第２の処理を施された画像データを表示する表示手段と、前記画像データが撮像された際の前記撮像装置のフォーカスモードに応じて、前記画像データに対する処理を、前記第１の処理と前記第２の処理との間で切り替える切り替え手段と、を有することを特徴とする。【選択図】図３
2018026753.tif 000002
【特許請求の範囲】
【請求項１】
撮像装置から出力される画像データに第１の処理を施す第１の処理手段と、
前記画像データに第２の処理を施す第２の処理手段と、
前記第１の処理または前記第２の処理を施された画像データを表示する表示手段と、
前記画像データが撮像された際の前記撮像装置のフォーカスモードに応じて、前記画像データに対する処理を、前記第１の処理と前記第２の処理との間で切り替える切り替え手段と、
を有することを特徴とする表示装置。
【請求項２】
前記フォーカスモードは、自動的にフォーカスの調整が行われるオートフォーカスモードとユーザが手動でフォーカスの調整を行うことができるマニュアルフォーカスモードを含む
ことを特徴とする請求項１に記載の表示装置。
【請求項３】
前記第１の処理は前記画像データに基づく画像の所定の領域を拡大する拡大処理であり、
前記第２の処理は前記画像データのエッジ成分が視覚的に強調される強調処理である
ことを特徴とする請求項２に記載の表示装置。
【請求項４】
前記切り替え手段は、
前記画像データがマニュアルフォーカスモードで撮像された画像データである場合に、前記第１の処理手段が前記画像データに前記拡大処理を施し、
前記画像データがオートフォーカスモードで撮像された画像データである場合に、前記第２の処理手段が前記画像データに前記強調処理を施す
ように処理を切り替える
ことを特徴とする請求項３に記載の表示装置。
【請求項５】
前記切り替え手段は、
前記撮像装置のフォーカスモードがオートフォーカスモードからマニュアルフォーカスモードに切り替わった場合に、前記拡大処理を有効に、かつ前記強調処理を無効にし、
前記撮像装置のフォーカスモードがマニュアルフォーカスモードからオートフォーカスモードに切り替わった場合に、前記拡大処理を無効に、かつ前記強調処理を有効にすることを特徴とする請求項３または４に記載の表示装置。
【請求項６】
前記画像データに基づく画像において、前記撮像装置がフォーカスを合わせている領域を示す位置情報を前記撮像装置から取得し、前記位置情報に基づいて前記所定の領域を設定する位置判定手段を更に有する
ことを特徴とする請求項３から５のいずれか１項に記載の表示装置。
【請求項７】
前記画像において、前記位置情報に基づいて特定された、前記撮像装置がフォーカスを合わせている複数の領域からユーザに前記所定の領域を選択させる選択手段を更に有することを特徴とする請求項６に記載の表示装置。
【請求項８】
前記画像において、前記位置情報に基づいて特定された、前記撮像装置がフォーカスを合わせている複数の領域についてエッジ量の算出を行う算出手段を更に有し、
前記第１の処理手段は、前記算出手段の算出結果に基づいて、最も多くエッジ量を含む領域を前記所定の領域に設定する
ことを特徴とする請求項６に記載の表示装置。
【請求項９】
請求項１〜８のいずれか１項に記載の表示装置と、
撮像した画像データと、撮像装置のフォーカスモードを示すモード情報と、前記画像データに基づく画像において撮像装置がフォーカスを合わせている領域を示す位置情報と、を前記表示装置に出力する撮像装置と、
を有する撮像システム。
【請求項１０】
撮像装置から出力される画像データに対する処理として、第１の処理または第２の処理のうち、いずれかの処理を有効とする切り替えステップと、
前記画像データに、前記第１の処理または前記第２の処理のうち、前記切り替えステップで有効にされた処理を施す処理ステップと、
前記第１の処理または前記第２の処理を施された前記画像データを表示する表示ステップと、
を有し、
前記切り替えステップでは、前記画像データが撮像された際の前記撮像装置のフォーカスモードに応じて、前記画像データに対する処理として、前記第１の処理または前記第２の処理のうち、いずれかの処理が有効とされる
ことを特徴とする表示装置の制御方法。
【請求項１１】
前記フォーカスモードは、自動的にフォーカスの調整が行われるオートフォーカスモードとユーザが手動でフォーカスの調整を行うことができるマニュアルフォーカスモードを含む
ことを特徴とする請求項１０に記載の表示装置の制御方法。
【請求項１２】
前記第１の処理は前記画像データに基づく画像の所定の領域を拡大する拡大処理であり、
前記第２の処理は前記画像データのエッジ成分が視覚的に強調される強調処理である
ことを特徴とする請求項１１に記載の表示装置の制御方法。
【請求項１３】
前記切り替えステップにおいて、
前記画像データがマニュアルフォーカスモードで撮像された画像データである場合に、前記第１の処理ステップにおいて前記画像データに前記拡大処理が施され、
前記切り替えステップにおいて、前記画像データがオートフォーカスモードで撮像された画像データである場合に、前記第２の処理ステップにおいて前記画像データに前記強調処理が施される
ように処理が切り替わる
ことを特徴とする請求項１２に記載の表示装置の制御方法。
【請求項１４】
前記切り替えステップでは、
前記撮像装置のフォーカスモードがオートフォーカスモードからマニュアルフォーカスモードに切り替わった場合に、前記拡大処理が有効に、かつ前記強調処理が無効にされ、
前記撮像装置のフォーカスモードがマニュアルフォーカスモードからオートフォーカスモードに切り替わった場合に、前記拡大処理が無効に、かつ前記強調処理が有効にされる
ことを特徴とする請求項１２または１３に記載の表示装置の制御方法。
【請求項１５】
前記画像データに基づく画像において、前記撮像装置がフォーカスを合わせている領域を示す位置情報を前記撮像装置から取得し、前記位置情報に基づいて前記所定の領域を設定する位置判定ステップを更に有する
ことを特徴とする請求項１２から１４のいずれか１項に記載の表示装置の制御方法。
【請求項１６】
前記画像において、前記位置情報に基づいて特定された、前記撮像装置がフォーカスを合わせている複数の領域からユーザに前記所定の領域を選択させる選択ステップを更に有する
ことを特徴とする請求項１５に記載の表示装置の制御方法。
【請求項１７】
前記画像において、前記位置情報に基づいて特定された、前記撮像装置がフォーカスを合わせている複数の領域についてエッジ量の算出を行う算出ステップを更に有し、
前記第１の処理ステップでは、前記算ステップにおける算出結果に基づいて、最も多くエッジ量を含む領域が前記所定の領域に設定される
ことを特徴とする請求項１５に記載の表示装置の制御方法。
【請求項１８】
請求項１０〜１７のいずれか１項に記載の表示装置の制御方法の各ステップをコンピュータに実行させるためのプログラム。
【発明の詳細な説明】
【技術分野】
【０００１】
本発明は表示装置及び表示装置の制御方法に関する。
【背景技術】
【０００２】
近年、画像撮影における撮像装置（典型的にはデジタルカメラ等）の解像度は飛躍的に向上している。それに対し、撮影した画像を確認するためのビューファインダは、カメラとしての機動性を確保するために画面の大きさに制約が生じる。このため、ビューファインダの解像度はカメラが有する解像度に対して比較的、低解像度のものが使用されることが一般的である。
このように、カメラとビューファインダの解像度の差異によって、ビューファインダでカメラのフォーカスを合わせることが困難になってきている。そこで近年では、カメラやビューファインダにフォーカスアシスト機能を備えるものが増えている。フォーカスアシスト機能は、ユーザがフォーカス合わせを行う際に、フォーカスが合わせやすいように補助する機能である。フォーカスアシスト機能を実現する処理の一つに、画像のエッジ部分を強調することでフォーカスが合っているか否かの確認を補助するためのエッジピーキング処理がある（特許文献１）。また、画像の一部を拡大することで画像中のフォーカスポイントとその近傍を見やすくする拡大処理がある（特許文献２参照）。さらに、高解像度の画像確認を行うために、カメラと接続する高解像度のモニタにおいてもフォーカスアシスト機能が搭載されている。
【先行技術文献】
【特許文献】
【０００３】
【特許文献１】特開平１１−４６３６８号公報
【特許文献２】特開２００８−１１６８４４号公報
【発明の概要】
【発明が解決しようとする課題】
【０００４】
撮影者は使用用途に応じて、フォーカスモードを変更している。自動的にフォーカスの調整が行われるオートフォーカス（ＡＦ：Ａｕｔｏｍａｔｉｃ  Ｆｏｃｕｓ）モードは、フォーカスの粗い調整を簡単かつ高速に行うために使用されることが多い。一方、ユーザが手動でフォーカスの調整を行うことができるマニュアルフォーカス（ＭＦ：Ｍａｎｕａｌ  Ｆｏｃｕｓ）モードはＡＦモードで粗調整したフォーカスに対して、撮影者の好みに合わせた微調整を行う。そのため、ユーザはフォーカスモードに応じて、使用するフォーカスアシスト機能の設定を変更しなければならなかった。このように、フォーカスモードの変更の度にフォーカスアシスト機能の設定変更をユーザに強いることは、ユーザに手間を取らせるだけでなく、撮影の機会を逸することにもつながる。そこで、本発明は撮像装置のフォーカスモードに応じて、撮像に好適な撮像装置のフォーカスアシスト機能の設定を自動で変更する画像表示装置及びその制御方法を提供することを目的とする。
【課題を解決するための手段】
【０００５】
本発明の第一態様は、
撮像装置から出力される画像データに第１の処理を施す第１の処理手段と、
前記画像データに第２の処理を施す第２の処理手段と、
前記第１の処理または前記第２の処理を施された画像データを表示する表示手段と、
前記画像データが撮像された際の前記撮像装置のフォーカスモードに応じて、前記画像データに対する処理を、前記第１の処理と前記第２の処理との間で切り替える切り替え手段と、
を有することを特徴とする表示装置である。
【０００６】
本発明の第二態様は、
撮像装置から出力される画像データに対する処理として、第１の処理または第２の処理のうち、いずれかの処理を有効とする切り替えステップと、
前記画像データに、前記第１の処理または前記第２の処理のうち、前記切り替えステップで有効にされた処理を施す処理ステップと、
前記第１の処理または前記第２の処理を施された前記画像データを表示する表示ステップと、
を有し、
前記切り替えステップでは、前記画像データが撮像された際の前記撮像装置のフォーカスモードに応じて、前記画像データに対する処理として、前記第１の処理または前記第２の処理のうち、いずれかの処理が有効とされる
ことを特徴とする表示装置の制御方法である。
【０００７】
本発明の第三態様は、本発明に係る表示装置の制御方法の各ステップをコンピュータに実行させるためのプログラムである。
【発明の効果】
【０００８】
本発明は撮像装置のフォーカスモードに応じて、撮像に好適な撮像装置のフォーカスアシスト機能の設定を自動で変更することを可能にする。
【図面の簡単な説明】
【０００９】
【図１】各実施例に係る機器構成を示す図。
【図２】ＳＤＩ信号の構成を示す図。
【図３】実施例１に係る表示装置の構成を示すブロック図。
【図４】実施例１のフォーカスアシスト機能の切り替え処理を表すフローチャート。
【図５】撮像装置２００から入力される画像と、拡大処理、強調処理された画像の例。
【図６】複数の位置情報を含むＳＤＩ信号の構成を示す図。
【図７】複数の位置情報を含む画像を撮像した場合の処理の例。
【図８】実施例３に係る表示装置の構成を示すブロック図。
【発明を実施するための形態】
【００１０】
以下に本発明の各実施例を、図面を参照しながら説明する。
＜実施例１＞
図１は本実施例に係る撮像システムの機器構成例の説明図である。表示装置１００はフォーカスアシスト機能を備えた表示装置である。撮像装置２００は画像を撮像し、撮像した画像データを外部に出力する撮像装置である。表示装置１００および撮像装置２００はＳＤＩ（Ｓｅｒｉａｌ  Ｄｉｇｉｔａｌ  Ｉｎｔｅｒｆａｃｅ）ケーブル３００によって接続されている。撮像装置２００で撮像された画像は表示装置１００に送られて大画面で表示される。なお、撮像装置２００によって撮像される画像は動画像でも静止画像でも構わない。
【００１１】
図２は、ＳＤＩ信号の構成を示したものである。ＳＤＩ信号は画像データの終わりを示すＥＡＶ５１０、補助データを含むＡＮＣ５２０、画像データの始まりを示すＳＡＶ５３０及び、画像データを示すＡＣＴＩＶＥ  ＶＩＤＥＯ５４０を備える。本実施例においては、ＡＮＣ５２０領域内のデータには撮像装置２００による撮像時のフォーカス情報が含まれる。フォーカス情報は、モード情報５２１と位置情報５２２である。ここで本実施例では、撮像装置２００は、撮像装置２００のフォーカスをユーザが手動で調整を行うマニ
ュアルフォーカスモード（ＭＦモード）と撮像装置２００が自動でフォーカスを合わせるオートフォーカスモード（ＡＦモード）の２種類を備えるものとする。モード情報５２１は、画像データが撮像された際の撮像装置２００のフォーカスモードに関する情報である。位置情報５２２は、ＡＦモードにおいて撮像装置２００が撮像画像のどこにフォーカスを合わせているかを示すフォーカス位置の情報であり、フォーカスの位置とフォーカス範囲を含む。
【００１２】
図３は実施例１における表示装置１００の内部構成を例示したブロック図である。表示装置１００は、入力部１０１、デコード部１０２、画像処理部１０３、ＡＮＣ処理部１０４、位置判定部１０５、切り替え部１０６、強調処理部１０７、拡大処理部１０８、表示部１０９、制御部１１０、操作部１２０〜１２３を備える。
入力部１０１は撮像装置２００から送られてきた画像データの入力処理を行う。本実施例ではＳＤＩ信号を入力する。
デコード部１０２は入力部１０１で受信したＳＤＩ信号のデコードを行う。デコード部１０２は、ＡＣＴＩＶＥ  ＶＩＤＥＯ５４０に含まれるデータをＲＧＢ（もしくはＹＵＶ）の画像データに変換して画像処理部１０３に出力する。また、デコード部１０２はＡＮＣ５２０に含まれる補助データをＡＮＣ処理部１０４に出力する。
【００１３】
画像処理部１０３は、受信した画像データに対して表示部１０９での表示に適した各種画像処理を行う。画像処理部１０３にて画像処理が施された画像データは強調処理部１０７に出力される。
ＡＮＣ処理部１０４は、デコード部１０２から出力されたＡＮＣ５２０に含まれる補助データから、撮像装置２００の位置情報５２２を抽出し、位置判定部１０５に出力する。また、ＡＮＣ処理部１０４は、撮像装置２００のモード情報５２１を抽出し、切り替え部１０６に出力する。
位置判定部１０５はＡＮＣ処理部１０４から受信した位置情報５２２に基づき、拡大処理部１０８にて拡大する領域を設定する。
【００１４】
切り替え部１０６は、ＡＮＣ処理部１０４から受信したモード情報から取得したフォーカスモードに応じて、強調処理部１０７と拡大処理部１０８の機能を有効にするか無効にするかの制御を行う。
強調処理部１０７は、画像データのエッジ成分が視覚的に強調される強調処理（第２の処理）を施す。具体的には、強調処理部１０７は、切り替え部１０６により機能が有効にされた場合、受信した画像データのエッジの高い部分を抽出し、抽出したエッジ部分を視覚的に強調する強調処理を行い、拡大処理部１０８に出力する。強調処理は、例えば、エッジ部分に対して色を付ける、エッジ部分を点滅させるなどの処理が考えられる。本実施例では、エッジ部分に着色する処理が行われるものとする。強調処理部１０７の機能が無効にされている場合は、入力された画像データに対する処理は行わずに拡大処理部１０８に出力する。
【００１５】
拡大処理部１０８は、画像データに基づく画像の所定の領域を拡大する拡大処理（第１の処理）を施す。具体的には、拡大処理部１０８は、切り替え部１０６により機能が有効にされた場合、強調処理部１０７から受信した画像データに対して、拡大処理を行い、拡大した画像データを表示部１０９に出力する。拡大範囲は位置判定部１０５から出力される位置情報５２２に基づき設定する。また、拡大処理を有効または無効にする操作は切り替え部１０６からの制御に基づいて行われる。拡大処理が無効にされているときは、入力された画像データに対する処理は行われず、画像データはそのまま出力される。なお、強調処理部１０７と拡大処理部１０８の順序は入れ替えても構わない。
表示部１０９は、拡大処理部１０８から受信した画像データに基づく画像を表示する。ユーザは、表示部１０９によって撮像装置２００が撮像する画像を確認することができる
。
制御部１１０は上述した各機能部の制御を行う。
操作部１２０、１２１、１２２、１２３は、表示装置１００の各種機能が割り当てられるボタンである。ユーザが各ボタンを操作することによって、各ボタンに割り当てられた機能を実行することができる。各ボタンに割り当てられる機能については後述する。
【００１６】
以下、表示装置１００が撮像装置２００から受信したＳＤＩ信号のＡＮＣ領域に含まれるモード情報５２１、位置情報５２２に基づいて、フォーカスアシスト機能を切り替える動作について説明する。具体的には、切り替え部１０６は、画像データがＭＦモードで撮像された場合に、拡大処理部１０８が画像データに拡大処理を施すように処理を切り替える。また、切り替え部１０６は、画像データがＭＦモードで撮像された場合に、強調処理部１０７が画像データに強調処理を施すように処理を切り替える。図４に示すフローチャートを用いて、切り替え動作の各ステップを説明する。また、図５（Ａ）は、撮像によって得られた画像の例である。
【００１７】
ステップＳ１０１において、ＡＮＣ処理部１０４は入力部１０１で受信したＳＤＩ信号からモード情報５２１を抽出し、切り替え部１０６へ出力する。同様に、ＡＮＣ処理部１０４は位置情報５２２を抽出し、位置判定部１０５へ出力する。
切り替え部１０６は、モード情報５２１から、撮像装置２００が現在、ＡＦモードによるフォーカス合わせを行っているのか、ＭＦモードによるフォーカス合わせを行っているのかを判定する。切り替え部１０６が、モード情報５２１から、ＡＦモードによるフォーカス合わせを行っていると判断した場合には、ステップＳ１０２へ進む。
【００１８】
ステップＳ１０２において、切り替え部１０６は、強調処理部１０７に対して強調処理を有効にする設定を行う。一方、拡大処理部１０８に対しては、切り替え部１０６は拡大処理を無効にする設定を行う。この結果、画像処理部１０３から出力される画像データに対して、強調処理部１０７は画像データのエッジ部分を抽出し、抽出したエッジ部分を視覚的に強調する処理を行い、拡大処理部１０８に対して画像データを出力する。拡大処理部１０８は何も処理をせずに表示部１０９へ画像データを出力する。
【００１９】
この時、表示される画像の例を図５（Ｂ）に示す。図５（Ｂ）は、ＡＦの機能により、顔の部分にフォーカスが合っている場合の画像である。図５（Ｂ）は、フォーカスが合っている顔の輪郭部に対して、強調処理が施されていることを示している。また、図５（Ｂ）は、拡大処理が無効にされていることから、被写体の顔だけでなく背景も映し出された画像が表示されていることを示している。この結果、ユーザはＡＦモードによるフォーカスの粗調整を行う際に、表示部１０９で強調処理された被写体全体が背景に映し出された画像を確認することができる。ユーザは撮像している画像の粗調整時に画像全体を見ながら、画像中のフォーカスが合っている位置を確認することが可能となる。以上の処理により、表示装置１００は、撮像装置２００がＡＦモードを用いてフォーカス合わせを行った際に、画像データに対して強調表示を行った画像を表示することが可能となる。
【００２０】
ステップＳ１０３では撮像装置２００のフォーカスモードが、ＡＦモードからＭＦモードに変わったことを検出した場合、ステップＳ１０４へ進む。
ステップＳ１０４において、切り替え部１０６は強調処理部１０７に対して強調処理を無効にする設定を行う。また、切り替え部１０６は拡大処理部１０８に対して、拡大処理を有効にする処理を行う。一方、位置判定部１０５は、ＡＦモード時からＭＦモードに切り替わる直前の位置情報５２２を元に、拡大処理部１０８に対して拡大する画像範囲の指定を行う。強調処理部１０７は強調処理機能を無効にするよう設定されているため、受信した画像データに対して強調処理を行わず、画像データをそのまま、拡大処理部１０８に出力にする。拡大処理部１０８は、位置情報に基づいて画像中の指定された領域への拡大
処理を行い表示部１０９へ画像データを出力する。
【００２１】
この時、表示される画像の例を図５（Ｃ）に示す。図５（Ｃ）は、ＭＦモードによるフォーカス調整を開始した時の画像例である。ＡＦモード時にフォーカスを合わせていた顔の位置の画像が拡大表示されたものである。ユーザはこの拡大画像を見ながら、フォーカスの微調整を行うことができる。ステップＳ１０４において、拡大表示がなされると再びステップＳ１０１へ戻る。
ステップＳ１０１〜Ｓ１０４の処理を、フォーカスモードの切り替えのタイミングに着目して説明すると、以下のようになる。切り替え部１０６は、撮像装置２００のフォーカスモードがＡＦモードからＭＦモードに切り替わった場合に、拡大処理を有効に、かつ強調処理を無効にしている。また、切り替え部１０６は、撮像装置２００のフォーカスモードがＭＦモードからＡＦモードに切り替わった場合に、拡大処理を無効に、かつ強調処理を有効にしている。
【００２２】
拡大表示時に撮像装置２００からの画像を全体表示に戻したい場合は、表示装置１００に備えられた、操作部を使用する。例えば、操作部１２３に全体表示に戻す機能を割り当てて、操作部１２３が押されると制御部１１０より拡大処理部１０８による拡大処理を停止し、撮像装置２００から受信した画像の全体表示に戻る。その後に操作部１２３が押された場合は、全体表示前の状態の拡大表示に戻る。
以上の処理により、撮像装置２００のフォーカスモードに応じて、表示装置で有効にするフォーカスアシスト機能を自動で切り替えることが可能になるため、ユーザの利便性を向上することが可能となる。
【００２３】
＜実施例２＞
実施例２では、複数の位置情報を含む画像に対する処理について記載する。実施例１ではＡＦモードからＭＦモードに切り替わる際に、位置情報を元にフォーカス位置を拡大して表示していた。しかし実施例２は、位置情報を元に操作部に撮像装置２００がフォーカスを合わせている複数の領域を割り当て、この複数の領域の中からユーザが所望の領域に対応する操作部を押下することにより、拡大する領域を選択する。表示装置１００の構成は実施例１と同じであるため説明は省略する。
【００２４】
図６は実施例２における複数の位置情報を含むＳＤＩ信号の構成である。図２と異なるのはモード情報６２１の他に、３つの位置情報、すなわち位置情報Ａ６２２、位置情報Ｂ６２３、位置情報Ｃ６２４が含まれる点である。これらの位置情報はフォーカス位置の他にも撮像装置２００が顔検出した位置が含まれていてもよい。
【００２５】
図７（Ａ）は実施例２における入力画像の例である。図６の位置情報Ａ６２２、位置情報Ｂ６２３、位置情報Ｃ６２４に対応する３か所にフォーカスが合っている画像である。実施例１と同様に表示装置１００は、撮像装置２００がＡＦモードでフォーカス合わせを行った際に、画像データに対して強調表示を行った画像を表示する。図７（Ｂ）は強調処理時の強調画像の例である。
【００２６】
撮像装置２００がＡＦモードからＭＦモードに切り替えられることにより、表示装置１００は強調処理がされた画像から、拡大処理がされた画像に表示を切り替える。位置判定部１０５はＡＦモードからＭＦモードに切り替わる直前の位置情報を元に、それぞれの拡大範囲を決める。制御部１１０は、拡大する位置として、それぞれ位置情報Ａ６２２、位置情報Ｂ６２３、位置情報Ｃ６２４に対応する位置を、図７（Ｃ）のように、操作部１２０〜１２２に割り当てる。割り当て方としては、操作部１２０、１２１、１２２に割り当てられるとする。操作部の１つが押されると該当する位置の拡大が行われる。例えばユーザが操作部１２１を押すと、位置情報Ｂ６２３に基づく範囲を拡大し、図７（Ｄ）のよう
な拡大画像が表示部１０９に表示される。これにより、ＭＦモードで微調整を行うときの拡大箇所を複数の候補の中から指定することが可能となるため、ユーザがフォーカスを合わせる時の利便性が向上する。
【００２７】
なお、本実施例では、一例として、画像中のフォーカスが合っている領域の数と、操作部のボタン数をともに３つとしたが、数はこれより多くても少なくても構わない。また、フォーカスが合っている領域の数が操作部のボタン数よりも多い場合、フォーカスが合っている複数の領域の一部を操作部のボタンに割り当てることで本実施例を適用できる。その際、複数の領域を操作部のボタンに割り当てる優先順位の付け方として、例えばフォーカスが合っている被写体（領域）が大きいものから優先的に割り当てる、などの方法が考えられる。
【００２８】
＜実施例３＞
実施例３は複数の位置情報を含む画像に対して、撮像装置２００のフォーカスモードがＡＦモードからＭＦモードに切り替わったときに、複数の位置のうち最もフォーカスが合っている領域を拡大するものである。図８は実施例３における表示装置１００の内部構成を示したブロック図である。図８は、図３に対して、エッジ量算出部１１２が新たに追加されている。画像処理部１０３は、画像データを強調処理部１０７とエッジ量算出部１１２に出力する。
【００２９】
撮像装置２００がＡＦモードでフォーカスを合わせている場合は、実施例１、実施例２と同様に画像データに強調処理が施される。その結果、撮像装置２００がＡＦモードで撮像している時に図７（Ａ）の画像が入力された場合、図７（Ｂ）のような強調処理した画像が表示される。エッジ量算出部１１２は、画像処理部１０３から受信した画像データと、ＡＮＣ処理部１０４から出力される複数の位置情報を受信する。撮像装置２００のフォーカスモードがＡＦモードからＭＦモードに切り替わった際に、エッジ量算出部１１２は画像データの各位置情報に対応する範囲に対してそれぞれエッジ量の算出を行う。
【００３０】
ここで、エッジ量の算出について説明する。エッジとは、画像中の領域の境界や不連続部を指す。画像中のエッジ部分は、フォーカスが合っている部分として捉えることができる。例えば、画像データの各画素に微分フィルタなどのフィルタを作用させることで各画素に対してエッジ量が算出され、閾値を超えるエッジ量を有する画素をエッジとして特定する。算出されたエッジ量は、対象となる画像について、フォーカスが合っている度合を示す合焦度を示す指標として使用することができる。例えば画像中の全画素についてエッジ量の算出を行い、合計のエッジ量の高い画像ほど、フォーカスが合っている画像であると判断することができる。また、同一画像中の領域毎にエッジ量の算出を行うことで、領域同士の合焦度の比較が可能となる。
【００３１】
本実施例では、エッジ量算出部１１２は、画像データ中の、各位置情報に対応する領域毎にエッジ量の算出を行う。エッジ量算出部１１２は、算出結果に基づいて最もエッジ量が高い領域に対応する位置情報を位置判定部１０５に出力する。位置判定部１０５は、位置情報に基づいて拡大する領域の情報を拡大処理部１０８に出力する。そして拡大処理部１０８は画像データの最も多くエッジ量を含む領域の拡大処理を実行する。表示部１０９は拡大された画像の表示を行う。
例えば、位置情報Ａ、位置情報Ｂ、位置情報Ｃのうち、位置情報Ｂに対応する領域が最もエッジ量が高い場合は、拡大処理部１０８は位置情報Ｂの領域を拡大し、表示部１０９は図７（Ｄ）のような拡大画像を表示する。
これにより、ＭＦモードで微調整を開始するときに、複数のフォーカス位置のうち最もフォーカスが合っている領域の拡大表示が自動的に開始されるため、最もＭＦモードによる微調整が求められる位置を自動的に拡大することができる。そのため、ユーザの利便性
が向上する。
【００３２】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００３３】
なお、実施例１〜３の装置の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００３４】
なお、実施例１〜３はあくまで一例であり、本発明の要旨の範囲内で実施例１〜３の構成を適宜変形したり変更したりすることにより得られる構成も、本発明に含まれる。実施例１〜３の構成を適宜組み合わせて得られる構成も、本発明に含まれる。
【符号の説明】
【００３５】
１００  表示装置  
１０６  切り替え部
１０７  強調処理部
１０８  拡大処理部
１０９  表示部
２００  撮像装置
【図１】
2018026753.tif 000003
【図２】
2018026753.tif 000004
【図３】
2018026753.tif 000005
【図４】
2018026753.tif 000006
【図５】
2018026753.tif 000007
【図６】
2018026753.tif 000008
【図７】
2018026753.tif 000009
【図８】
2018026753.tif 000010